(57)【要約】【課題】  停電復旧後に自動的に動作状態に移行することのできるソフトスイッチ方式の画像形成装置を提供することを目的とする。【解決手段】  商用電源を供給すると所定電圧を生成する電源装置と、電話回線を通じて画像データの送受信を行う着脱可能な送受信部と、前記送受信部に給電を行う給電ラインと、オン状態で前記所定電圧を前記給電ラインへ供給し、オフ状態で前記所定電圧を前記給電ラインへ非供給とする切替手段と、ユーザが押すことで前記切替手段を一時的にオン状態とすることが可能なスイッチと、前記給電ラインに前記所定電圧が供給されることで起動するとともに前記切替手段をオン／オフ制御することが可能な制御手段とを有する画像形成装置において、前記送受信部が装着された場合には、前記切替手段が強制的にオン状態となるよう制御される構成。【選択図】  図１
2012147353.tif 000002
【特許請求の範囲】
【請求項１】
商用電源を供給すると所定電圧を生成する電源装置と、電話回線を通じて画像データの送受信を行う着脱可能な送受信部と、前記送受信部に給電を行う給電ラインと、オン状態で前記所定電圧を前記給電ラインへ供給し、オフ状態で前記所定電圧を前記給電ラインへ非供給とする切替手段と、ユーザが押すことで前記切替手段を一時的にオン状態とすることが可能なスイッチと、前記給電ラインに前記所定電圧が供給されることで起動するとともに前記切替手段をオン／オフ制御することが可能な制御手段とを有する画像形成装置において、前記送受信部が装着された場合には、前記切替手段が強制的にオン状態となるよう制御されることを特徴とする画像形成装置。
【請求項２】
商用電源を供給すると所定電圧を生成する電源装置と、電話回線を通じて画像データの送受信を行う着脱可能な送受信部と、前記送受信部に給電を行う給電ラインと、オン状態で前記所定電圧を前記給電ラインへ供給し、オフ状態で前記所定電圧を前記給電ラインへ非供給とする切替手段と、ユーザが押すことで前記切替手段を一時的にオン状態とすることが可能なスイッチと、前記スイッチが押されたことを検出する為の検出手段と、前記給電ラインに前記所定電圧が供給されることで起動するとともに前記切替手段をオン／オフ制御することが可能な制御手段と、前記切替手段をオン状態あるいはオフ状態に保持することが可能な保持手段とを有する画像形成装置において、前記検出手段によって前記スイッチが押されたことを検出した場合には、前記保持手段によって前記切替手段がオフ状態に保持されることを特徴とする画像形成装置。
【請求項３】
前記保持手段は、前記所定電圧を利用して動作することを特徴とする請求項２に記載の画像形成装置。
【請求項４】
前記保持手段は、一次電池を利用して動作することを特徴とする請求項２に記載の画像形成装置。
【発明の詳細な説明】
【技術分野】
【０００１】
本発明は、ファクシミリ機能を有する複写機やプリンタ等の画像形成装置に関し、特に停電復旧時における画像形成装置の再起動に関するものである。
【背景技術】
【０００２】
従来、画像形成装置やパーソナルコンピュータなどの電子機器の電源に関して、ユーザによってオフされた場合に直ぐに給電を停止することなく所定の処理動作を行ってから給電停止するように制御したり、また、電子機器の主電源を離れた場所からリモートでオン／オフ制御したりする場合がある。その場合に、電源スイッチとしてオン／オフをロックするようなロッカースイッチを用いず、押している間だけオンして離すとオフするようなモーメンタリスイッチを採用した製品が存在する。
【０００３】
図５はモーメンタリスイッチを採用した、ソフトスイッチ構成の画像形成装置の一例を表す図である。図５を用いて、以下で画像形成装置の動作開始時及び動作停止時の説明を行う。
【０００４】
画像形成装置Ａに商用電源Ｂが供給されると、電源装置１０内のＡＣ／ＤＣコンバータ１５が起動し、電圧Ｖ１が出力される。電圧Ｖ１は操作部１３のスイッチＳＷ１に供給されている以外、画像形成装置Ａの電装部品には供給されていない為、商用電源Ｂの供給だけでは画像形成装置Ａは動作停止状態を維持する。ここで、画像形成装置Ａを動作させる為に、ユーザによって操作部１３のスイッチＳＷ１が押されると、電圧Ｖ１が抵抗器Ｒ７を介してコンデンサＣ３に印加されてコンデンサＣ３が充電される。
【０００５】
ここで、スイッチＳＷ１が押されている間に、コンデンサＣ３が十分に充電されるように、抵抗器Ｒ７とコンデンサＣ３の定数は選定しておく。コンデンサＣ３が充電されると、トランジスタＴｒ３のベース電流が流れてトランジスタＴｒ３がオンする。トランジスタＴｒ３がオンすると、トランジスタＴｒ１のゲートがグラウンドレベルとなるため、トランジスタＴｒ１がオン状態となる。トランジスタＴｒ１がオンすると、電圧Ｖ２が出力され、電圧Ｖ２はコントローラ１２のＣＰＵ１４や、ＦＡＸユニット１１に供給される。ここで、ＦＡＸユニット１１とは、電話回線に接続されて画像データの送信及び受信を行う送受信部のことを指すものとする。また、ＦＡＸユニット１１は画像形成装置Ａに着脱可能であり、ここでは、ＦＡＸユニット１１が画像形成装置Ａに装着された状態であるものとする。
【０００６】
電圧Ｖ２がＣＰＵ１４に供給されてコントローラ１２が起動すると、ＣＰＵ１４は信号線Ｓ１にハイレベルの信号を出力し、トランジスタＴｒ２をオン状態とする。トランジスタＴｒ１のオン状態を維持して画像形成装置Ａの動作状態を保つ為、画像形成装置Ａが動作している間は、ＣＰＵ１４は信号線Ｓ１にハイレベルの信号を継続して出力する。なお、スイッチＳＷ１が押されてから、ＣＰＵ１４がトランジスタＴｒ２をオンするまでの間、コンデンサＣ３の電荷によってトランジスタＴｒ３のオン状態を維持できるよう、コンデンサＣ３、抵抗器Ｒ５、抵抗器Ｒ６の定数を選定しておく。上述したような回路動作によって、ユーザがスイッチＳＷ１を押すことで、画像形成装置Ａ及びＦＡＸユニット１１に電圧Ｖ２が供給されて、画像形成装置Ａは動作を開始する。
【０００７】
次に、画像形成装置Ａの動作を停止させる場合について説明を行う。ユーザが画像形成装置Ａ及びＦＡＸユニット１１の動作を停止する為に、スイッチＳＷ１を押すと、電圧Ｖ１がスイッチＳＷ１、抵抗器Ｒ７を介してコンデンサＣ３に印加される。この際、図中ａ点のポイントではグラウンドレベル→電圧Ｖ１の電位に変化することとなり、この立ち上がりエッジ信号は信号線Ｓ２を介してＣＰＵ１４に入力される。ＣＰＵ１４は信号線Ｓ２のグラウンドレベル→電圧Ｖ１の立ち上がりエッジによって、ユーザがスイッチＳＷ１を押したことを検出し、画像形成装置Ａがシャットダウンするためのシーケンス（例えば、データの保存や機械的な離間動作等）を開始する。
【０００８】
シャットダウンシーケンスが終了すると、ＣＰＵ１４は信号線Ｓ１にローレベルを出力して、トランジスタＴｒ２がオフする。トランジスタＴｒ２がオフすると、トランジスタＴｒ１のゲートが電圧Ｖ１と同電位となってトランジスタＴｒ１もオフし、コントローラ１２及びＦＡＸユニット１１への電圧Ｖ２の供給が停止して、画像形成装置Ａの動作が停止する。
【０００９】
上述したような、ソフトスイッチ構成の電源制御としては、例えば、外部からの電源制御信号によって電源のオン／オフを制御する提案に関し、確実にマイコンをリセットできるリセット信号生成手段を備える電源供給装置として特許文献１で提案がなされている。
【先行技術文献】
【特許文献】
【００１０】
【特許文献１】特開２００５−２８５０４１号公報
【発明の概要】
【発明が解決しようとする課題】
【００１１】
しかしながら、上述した特許文献１のようなソフトスイッチ構成の電源装置では、停電等により商用電源の供給が停止した場合に電子機器の動作も停止する。そして、停電が復旧して商用電源が電子機器に再供給された場合でも、外部から電源を起動する信号が来ない限り電子機器は動作を停止したままで自動的に動作状態には移行することはない。ここで、この電子機器にファクシミリ機能を有している場合には、停電後に外部から電源を起動する信号を受信するか、あるいはユーザが再びスイッチをオンさせない限り、ＦＡＸ受信ができなくなるという問題点がある。
【００１２】
本発明は上述した問題点に鑑みてなされたものであり、停電復旧後に自動的に動作状態に移行することのできるソフトスイッチ方式の画像形成装置を提供することを目的とする。
【課題を解決するための手段】
【００１３】
上記目的を達成するため、本出願に係る第一の発明は、商用電源を供給すると所定電圧を生成する電源装置と、電話回線を通じて画像データの送受信を行う着脱可能な送受信部と、前記送受信部に給電を行う給電ラインと、オン状態で前記所定電圧を前記給電ラインへ供給し、オフ状態で前記所定電圧を前記給電ラインへ非供給とする切替手段と、ユーザが押すことで前記切替手段を一時的にオン状態とすることが可能なスイッチと、前記給電ラインに前記所定電圧が供給されることで起動するとともに前記切替手段をオン／オフ制御することが可能な制御手段とを有する画像形成装置において、前記送受信部が装着された場合には、前記切替手段が強制的にオン状態となるよう制御されることを特徴とする。
【００１４】
また、上記目的を達成するため、本出願に係る第二の発明は、商用電源を供給すると所定電圧を生成する電源装置と、電話回線を通じて画像データの送受信を行う着脱可能な送受信部と、前記送受信部に給電を行う給電ラインと、オン状態で前記所定電圧を前記給電ラインへ供給し、オフ状態で前記所定電圧を前記給電ラインへ非供給とする切替手段と、ユーザが押すことで前記切替手段を一時的にオン状態とすることが可能なスイッチと、前記スイッチが押されたことを検出する為の検出手段と、前記給電ラインに前記所定電圧が供給されることで起動するとともに前記切替手段をオン／オフ制御することが可能な制御手段と、前記切替手段をオン状態あるいはオフ状態に保持することが可能な保持手段とを有する画像形成装置において、前記検出手段によって前記スイッチが押されたことを検出した場合には、前記保持手段によって前記切替手段がオフ状態に保持されることを特徴とする。
【００１５】
また、上記目的を達成するため、本出願に係る第三の発明は、前記保持手段は、前記所定電圧を利用して動作することを特徴とする。
【００１６】
また、上記目的を達成するため、本出願に係る第四の発明は、前記保持手段は、一次電池を利用して動作することを特徴とする。
【発明の効果】
【００１７】
以上説明したように、本出願に係る第一〜第四の発明によれば、停電復旧後に自動的に動作状態に移行することのできるソフトスイッチ方式の画像形成装置を提供することができる。また、本出願に係る第二〜第四の発明によれば、ユーザが画像形成装置を動作させる必要がない場合に、画像形成装置の動作を停止させることが可能な画像形成装置を提供することができる。
【図面の簡単な説明】
【００１８】
【図１】本発明の第一の実施例形態に係る、ソフトスイッチ方式の電源装置を搭載した画像形成装置の構成を表す図である。
【図２】本発明の第一の実施例形態に係る、フローチャート図である。
【図３】本発明の第二の実施例形態に係る、ソフトスイッチ方式の電源装置を搭載した画像形成装置の構成を表す図である。
【図４】本発明の第二の実施例形態に係る、フローチャート図である。
【図５】従来のソフトスイッチ方式の電源装置を搭載した画像形成装置の一例を表す図である。
【発明を実施するための形態】
【００１９】
［実施例１］
本発明における第一の実施例形態に関して、以下で図１、図２を用いて説明を行う。図１は本実施例に関わるソフトスイッチ方式の電源装置を搭載した画像形成装置の構成例である。商用電源Ｂからインレット等のプラグを介して電源装置１０に商用電源Ｂが供給され、供給された商用電源ＢはＡＣ／ＤＣコンバータ１５によって、所定の直流電圧である電圧Ｖ１が生成される。ＦＡＸユニット１１はコネクタＣｎ１によって、画像形成装置Ａに着脱可能な構成となっている。ここで、ＦＡＸユニット１１とは、電話回線に接続されて画像データの送信及び受信を行う送受信部のことを指すものとする。
【００２０】
画像形成装置ＡにＦＡＸユニット１１が接続されている場合には、電源装置１０のトランジスタＴｒ１のゲートがグラウンドレベルとなるように、トランジスタＴｒ１のゲートが抵抗器Ｒ２を介して、ＦＡＸユニット１１内のグラウンドレベルに接続される構成となっている。画像形成装置ＡにＦＡＸユニット１１が接続されていない場合には、コネクタＣｎ１は未接続状態となる。トランジスタＴｒ１はＰチャネル型のＦＥＴ（電界効果トランジスタ）、トランジスタＴｒ２及びトランジスタＴｒ３はＮＰＮ型のバイポーラトランジスタである。なお、背景技術で説明した従来例の回路構成と同様である箇所についての回路動作説明は省略する。以下で、図２のフローチャート図に従って本実施例の説明を行う。
【００２１】
画像形成装置Ａの電源装置１０に電源プラグが差し込まれて、画像形成装置Ａが動作状態にあるとする（Ｓ１０１）。ここで、画像形成装置Ａが動作状態とは、画像形成装置Ａが電源オフされた状態以外の全てのステータス、即ち、スタンバイ状態、スリープ状態、画像形成動作中の状態を指すものとする。
【００２２】
画像形成装置Ａが動作状態では、電圧Ｖ１が出力され、トランジスタＴｒ１がオン状態であり、電圧Ｖ２も出力された状態である。電圧Ｖ２が出力されている為、コントローラ１２のＣＰＵ１４には電圧Ｖ２が供給されている状態となっている。また、ＦＡＸユニット１１が画像形成装置Ａに接続されている場合には、電圧Ｖ２がＦＡＸユニット１１に供給される。
【００２３】
ここで、商用電源Ｂに停電が発生した場合、あるいはユーザによって電源装置１０から電源プラグが抜かれた場合には、画像形成装置Ａへの商用電源Ｂの供給が停止する（Ｓ１０２）。商用電源Ｂの供給が停止すると、ＡＣ／ＤＣコンバータ１５の動作も停止して、電圧Ｖ１の出力が停止する。また、電圧Ｖ１の供給が停止する為、トランジスタＴｒ１を介して出力されていた電圧Ｖ２の出力も停止する（Ｓ１０３）。電圧Ｖ２の出力が停止すると、ＣＰＵ１４への給電が停止する為、画像形成装置Ａの動作は停止する（Ｓ１０４）。
【００２４】
その後、商用電源Ｂの停電が復旧して商用電源Ｂの供給が再開すると（Ｓ１０５）、ＡＣ／ＤＣコンバータ１５の動作が開始されて電圧Ｖ１が出力される（Ｓ１０６）。ここで、ＦＡＸユニット１１が画像形成装置Ａに接続されているか否かチェックが行われる（Ｓ１０７）。ＦＡＸユニット１１が画像形成装置Ａに接続されていない場合には、トランジスタＴｒ１のゲート電位は電圧Ｖ１と同電位となる為、トランジスタＴｒ１はオフ状態を維持し、画像形成装置Ａも動作停止状態を維持する（Ｓ１１１）。
【００２５】
一方、ＦＡＸユニット１１が画像形成装置Ａに接続されている場合には、ＦＡＸユニット１１により、トランジスタＴｒ１のゲートはグラウンドレベルとなっている為、トランジスタＴｒ１はオン状態となる（Ｓ１０８）。トランジスタＴｒ１がオン状態となると、トランジスタＴｒ１を介して電圧Ｖ２が出力され、コントローラ１２のＣＰＵ１４及びＦＡＸユニット１１に電圧Ｖ２が供給され（Ｓ１０９）、画像形成装置Ａの動作が開始する。ＦＡＸユニット１１には電圧Ｖ２が供給されて動作している為、電話回線を介して画像データが送信された場合にも当然受け付けは可能である（Ｓ１１０）。
【００２６】
上述したように、本実施例の構成であれば、停電復旧後に画像形成装置Ａ及びＦＡＸユニット１１の電源が自動的に投入され、動作を復帰させることが可能となる。
【００２７】
［実施例２］
本発明における第二の実施例形態に関して、以下で図３、図４を用いて説明を行う。図３は本実施例に関わるソフトスイッチ方式の電源装置を搭載した画像形成装置の構成例である。画像形成装置Ａは、電源装置１０とコントローラ１２、操作部１３、コネクタＣｎ１及びコネクタＣｎ２によって画像形成装置Ａに着脱可能なＦＡＸユニット１１とで構成されている。ここで、ＦＡＸユニット１１とは、電話回線に接続されて画像データの送信及び受信を行う送受信部のことを指すものとする。ＦＡＸユニット１１内には、Ｔｒ１のオン／オフを制御する為のＴｒ１制御回路１６が設けられている。
【００２８】
コントローラ１２上のＣＰＵ１４の信号線Ｓ３から出力された信号は、画像形成装置ＡにＦＡＸユニット１１が装着されている場合には、コネクタＣｎ２を介してＴｒ１制御回路に入力される。画像形成装置ＡにＦＡＸユニット１１が装着されていない場合には、コネクタＣｎ１及びコネクタＣｎ２は未接続状態（オープン状態）となる。トランジスタＴｒ１及びトランジスタＴｒ６はＰチャネル型のＦＥＴ（電界効果トランジスタ）であり、トランジスタＴｒ２〜トランジスタＴｒ５及びトランジスタＴｒ７はＮＰＮ型のバイポーラトランジスタである。以下で、図４のフローチャート図に従って本実施例の説明を行う。
【００２９】
画像形成装置Ａの電源装置１０に電源プラグが差し込まれて、画像形成装置Ａが動作した状態であるとする（Ｓ２０１）。ここで、画像形成装置Ａが動作状態とは、画像形成装置Ａが電源オフされた状態以外の全てのステータス、即ち、スタンバイ状態、スリープ状態、画像形成動作中の状態を指すものとする。画像形成装置Ａが動作状態では、電圧Ｖ１が出力され、トランジスタＴｒ１がオン状態であり、電圧Ｖ２も出力された状態である。電圧Ｖ２が出力されている為、コントローラ１２のＣＰＵ１４には電圧Ｖ２が供給されている。また、画像形成装置ＡにＦＡＸユニット１１が接続された状態の場合には、ＦＡＸユニット１１には電圧Ｖ２が供給される。
【００３０】
画像形成装置Ａが動作状態においては、ＣＰＵ１４は信号線Ｓ１にハイレベル信号を出力してトランジスタＴｒ２をオン状態としている。また、信号線Ｓ３にはローレベル信号を出力しており、画像形成装置ＡにＦＡＸユニット１１が接続されている場合には、トランジスタＴｒ７をオフ状態となり、それによってトランジスタＴｒ６がオフされて電圧Ｖ３の出力は停止している。電圧Ｖ３の出力が停止していることで、トランジスタＴｒ５はオフ状態となり、トランジスタＴｒ４のベースには電圧Ｖ１から抵抗器Ｒ８を介してベース電流が供給されて、トランジスタＴｒ４がオン状態となっている。
【００３１】
画像形成装置Ａが動作状態中に、ユーザが画像形成装置Ａをオフする為にスイッチＳＷ１を押すと、電圧Ｖ１が抵抗器Ｒ７を介してＣ３に供給される為、ａ点の電位がグラウンドレベル→電圧Ｖ１に変化する。ＣＰＵ１４は信号線Ｓ２にグラウンドレベル→電圧Ｖ１の立ち上がりエッジを検出することで、ユーザが画像形成装置Ａをオフする為にスイッチＳＷ１を押したことを検出する（Ｓ２０２）。ここで、当然のことながら、信号線Ｓ２では、スイッチＳＷ１が画像形成装置Ａの電源をオフする為に押された場合のみを検出することになる。なぜならば、画像形成装置Ａの電源をオンする為にユーザがスイッチＳＷ１を押した場合には、スイッチＳＷ１の押した瞬間にＣＰＵ１４は起動していない為、ａ点の電位のグラウンドレベル→電圧Ｖ１の立ち上がりエッジは検出しない為である。ＣＰＵ１４はスイッチＳＷ１が押されたことを検出すると、信号線Ｓ３の出力をローレベルからハイレベルに変更する（Ｓ２０３）。
【００３２】
ここで、ＦＡＸユニット１１が画像形成装置Ａに接続されているか否かチェックが行われる（Ｓ２０４）。画像形成装置ＡにＦＡＸユニットが接続されている場合には、信号線Ｓ３の信号はコネクタＣｎ２を介してＦＡＸユニット１１内のＴｒ１制御回路１６に入力される。さらに、信号線Ｓ３の信号は、抵抗器Ｒ１６を介してトランジスタＴｒ７にベース電流が供給され、トランジスタＴｒ７がオンする。トランジスタＴｒ７がオンすると、トランジスタＴｒ６のゲート電位がローレベルになる為、トランジスタＴｒ６がオンして電圧Ｖ３が出力される。電圧Ｖ３が出力されると、抵抗器Ｒ１２を介してトランジスタＴｒ５にベース電流が供給されて、トランジスタＴｒ５がオンする。トランジスタＴｒ５がオンすると、それまで電圧Ｖ１からＲ８を介してトランジスタＴｒ４に供給されていたベース電流が、Ｒ１０を介してグランドに流れてしまう為、トランジスタＴｒ４はオフ状態となる（Ｓ２０５）。ここで、トランジスタＴｒ５がオン状態の場合に、トランジスタＴｒ４にベース電流が流れないようにする必要がある為、抵抗器Ｒ８と抵抗器Ｒ１０の抵抗値の関係は、Ｒ８＞＞Ｒ１０としておく。
【００３３】
上述したＳ２０５の処理が完了した場合、あるいはＳ２０４で画像形成装置ＡにＦＡＸユニットが接続されていないと判断した場合には、コントローラ１２は画像形成装置Ａがシャットダウンするためのシーケンス（例えば、データの保存や機械的な離間動作等）を開始する。シャットダウンシーケンスが終了すると、ＣＰＵ１４は信号線Ｓ１にローレベルを出力する。信号線Ｓ１のローレベル信号は抵抗器Ｒ３を介してトランジスタＴｒ２のベースに印加される為、トランジスタＴｒ２がオフ状態となる（Ｓ２０６）。
【００３４】
トランジスタＴｒ３はコンデンサＣ３の電荷が抜けることで自動的にオフ状態となる為、トランジスタＴｒ１のゲート電位が電圧Ｖ１と同電位になり、トランジスタＴｒ１はオフ状態となる。トランジスタＴｒ１がオフすると電圧Ｖ２の出力が停止し、コントローラ１２への電圧Ｖ２の供給が停止し（Ｓ２０７）、画像形成装置Ａの動作も停止する（Ｓ２０８）。なお、画像形成装置Ａの動作停止中の間は、ＣＰＵ１４の信号線Ｓ３の出力部はオープン状態となる構成としておく。そうすることで、トランジスタＴｒ７には電圧Ｖ３から抵抗器Ｒ１５を介してベース電流が供給される為、電圧Ｖ３の出力が維持されトランジスタＴｒ４のオフ状態も維持される。
【００３５】
その後、画像形成装置Ａを起動するために、ユーザによって操作部１３のスイッチＳＷ１が押されると（Ｓ２０９）、電圧Ｖ１が抵抗器Ｒ７を介してコンデンサＣ３に印加されてコンデンサＣ３が充電される。スイッチＳＷ１が押されている間に、コンデンサＣ３が十分に充電されるように、抵抗器Ｒ７とコンデンサＣ３の定数は選定しておく。コンデンサＣ３が充電されると、トランジスタＴｒ３のベース電流が流れてトランジスタＴｒ３がオンする。トランジスタＴｒ３がオンすると、トランジスタＴｒ１のゲートがグラウンドレベルとなるため、トランジスタＴｒ１がオン状態となる。
【００３６】
トランジスタＴｒ１がオンすると、電圧Ｖ２が出力され、電圧Ｖ２はコントローラ１２のＣＰＵ１４や、ＦＡＸユニット１１に供給される。電圧Ｖ２がＣＰＵ１４に供給されてコントローラ１２が起動すると、ＣＰＵ１４は信号線Ｓ１にハイレベルの信号を出力し、トランジスタＴｒ２をオン状態とする。トランジスタＴｒ１のオン状態を維持して画像形成装置Ａの動作状態を保つ為、画像形成装置Ａが動作している間は、ＣＰＵ１４は信号線Ｓ１にハイレベルの信号を継続して出力する。なお、ユーザがスイッチＳＷ１を押した後、ＣＰＵ１４から信号線Ｓ１にハイレベルの信号が出力されるまでの時間、トランジスタＴｒ１のオン状態が維持できるように、抵抗器Ｒ５〜Ｒ７とコンデンサＣ３の定数を選定しておく。
【００３７】
次に、ＣＰＵ１４は信号線Ｓ３をローレベル信号とする（Ｓ２１０）。信号線Ｓ３のローレベル信号はコネクタＣｎ２を介してＦＡＸユニット１１内のＴｒ１制御回路１６に入力される。すると、電圧Ｖ３から抵抗器Ｒ１５を介してトランジスタＴｒ７に供給していたベース電流が、抵抗器Ｒ１６を介してＣＰＵ１４に流れ込むようになる為、トランジスタＴｒ７にベース電流が流れなくなりトランジスタＴｒ７はオフする。トランジスタＴｒ７がオフすると、トランジスタＴｒ６のゲート電位が電圧Ｖ１と同電位になる為、トランジスタＴｒ６はオフして、電圧Ｖ３の出力が停止する。なお、電圧Ｖ３の出力が一旦停止すると、ＣＰＵ１４の信号線Ｓ３にハイレベル信号が来ない限りは、トランジスタＴｒ６及びトランジスタＴｒ７はオン状態となり、電圧Ｖ３が出力されることはない。また、ＣＰＵ１４から信号線Ｓ３をローレベル信号としたときに、トランジスタＴｒ７にベース電流が流れることがないよう、抵抗器Ｒ１５及び抵抗器Ｒ１６に関してはＲ１５＞＞Ｒ１６となるよう定数選定しておく。
【００３８】
電圧Ｖ３の出力が停止すると、トランジスタＴｒ５にベース電流が流れなくなる為、トランジスタＴｒ５はオフ状態となり、電圧Ｖ１から抵抗器Ｒ８を介してトランジスタＴｒ４にベース電流が流れて、トランジスタＴｒ４がオン状態となる（Ｓ２１１）。
【００３９】
なお、ＡＣ／ＤＣコンバータの動作が停止するほどの比較的長時間、停電が発生した場合には、電圧Ｖ１の出力が停止するので電圧Ｖ３の出力も停止する。即ち、トランジスタＴｒ５がオフ状態となる為、停電が復旧して商用電源Ｂが再投入された場合には、トランジスタＴｒ４がオン状態となって画像形成装置Ａが起動することになる。長時間停電の復旧時においても、画像形成装置Ａが再起動しないようにするには、図中ｂで示した２箇所の電圧Ｖ１に大容量のコンデンサを接続しておくか、一次電池等を別途設けておけばよい。また、本実施例では、画像形成装置Ａの単体でのコストを低減する為にＴｒ１制御回路１６をＦＡＸユニット１１側に搭載した構成としたものの、Ｔｒ１制御回路１６を電源装置１０内に搭載する構成としても問題はない。
【００４０】
上述したように、本実施例の構成であれば、停電復旧後に画像形成装置Ａ及びＦＡＸユニット１１の電源が自動的に投入され、動作を復帰させることが可能となる。さらに、ユーザが画像形成装置を動作させる必要がない場合に、画像形成装置の動作を停止させることが可能となる。
【００４１】
なお、本発明に関しては、実施例１及び実施例２では画像形成装置を例にとって説明したもののこれに限るものではなく、電子機器全般に渡って適用することが可能である。
【符号の説明】
【００４２】
Ａ‥‥画像形成装置
Ｂ‥‥商用電源
１０‥‥電源装置
１１‥‥ＦＡＸユニット
１２‥‥コントローラ
１３‥‥操作部
１４‥‥ＣＰＵ
１５‥‥ＡＣ／ＤＣコンバータ
１６‥‥Ｔｒ１制御回路
Ｒ１〜Ｒ１７‥‥抵抗器
Ｃ１〜Ｃ４‥‥コンデンサ
Ｃｎ１、Ｃｎ２‥‥コネクタ
Ｔｒ１〜Ｔｒ７‥‥トランジスタ
Ｖ１〜Ｖ３‥‥電圧
Ｓ１〜Ｓ３‥‥信号線
【図１】
2012147353.tif 000003
【図２】
2012147353.tif 000004
【図３】
2012147353.tif 000005
【図４】
2012147353.tif 000006
【図５】
2012147353.tif 000007